(57)【要約】【課題】反光入射面側の輝度のみならず、光出射面全体の輝度を高める。【解決手段】液晶表示素子の非観察面側に配置され、所定の側面が光入射面１１とされた導光板１０と、上記導光板１０の光入射面１１に向けて光を照射する光源２０とを備えている液晶表示素子のバックライトにおいて、上記光源２１の光軸２１ｃを上記導光板１０の反光入射面１４側の上端エッジ１４ａに合わせ込む。【選択図】　　図１
2004004285.tif 000002
【特許請求の範囲】
【請求項１】
液晶表示素子の非観察面側に配置され、所定の側面が光入射面とされた導光板と、上記導光板の光入射面に向けて光を照射する光源とを備えている液晶表示素子のバックライトにおいて、
上記光源の光軸が、上記導光板の反光入射面側の上端エッジに合わせられていることを特徴とする液晶表示素子のバックライト。
【発明の詳細な説明】
【０００１】
【発明の属する技術分野】
本発明は、液晶表示素子のバックライトに関し、さらに詳しく言えば、導光板から出射される光の輝度を向上させる技術に関するものである。
【０００２】
【従来の技術】
透過型もしくは半透過型の液晶表示素子には、その非観察面（背面）側から表示画面に光を照射する照明手段としてのバックライトが設けられている。バックライトには、大別して直下型とサイドライト型とがあるが、サイドライト型は直下型に比べて薄型であるため、携帯機器にはもっぱらサイドライト型が用いられている。
【０００３】
図３に示すように、サイドライト型バックライトは、その基本的な構成として、導光板１０と、導光板１０の側方（もしくは側方下部）に配置される光源２０とを備えている。導光板１０には、図示しない液晶表示素子の大きさに合わせて四角板状に形成されたアクリル樹脂などの透明体が用いられている。
【０００４】
導光板１０は、上面，底面および４つの側面を含み、４つの側面の内の一つが光源２０から光が入射される光入射面１１とされ、上面が光を出射する光出射面１２で、液晶表示素子に対して平行に配置される。
【０００５】
通常、底面１３は、光入射面１１から入射された光を光出射面１２に向かわせるため、光入射面１１側からその対向面（反光入射面）１４側に向けて上り勾配とした傾斜面とされるが、特に勾配を付けずに光出射面１２と平行とする場合もある。多くの場合、底面１３には光反射膜（図示省略）が設けられる。
【０００６】
液晶表示素子が携帯電話機などの小型機器用である場合、光源２０にはＬＥＤ（発光ダイオード）２１が好ましく採用されている。ＬＥＤ２１には、サイドビュータイプとトップビュータイプとがあり、収納スペースなどを考慮して使い分けられている。図示しないが、ＬＥＤ２１はカバーレンズを有し、これによって光軸２１ｃが定められている。
【０００７】
この例において、ＬＥＤ２１はサイドビュータイプであって、光入射面１１の真横に配置されている。その場合、従来においては、その光軸２１ｃを光入射面１１に対して直交するようにしている。
【０００８】
図示しないが、トップビュータイプのＬＥＤの場合には、光入射面１１にプリズム状の光入射ガイドを設け、その光入射ガイドの下部位置にＬＥＤを配置することになるが、この場合にも、その光軸が光入射面１１に対して直交するようにしている。
【０００９】
【発明が解決しようとする課題】
しかしながら、これによると、特に底面１３に傾斜がつけられている場合、光軸２１ｃが底面１３の中腹部分を指向することになり、対向面１４側の輝度が低下してしまうという問題があった。
【００１０】
したがって、本発明の課題は、光源からの照射光を導光板の側面から入射するサイドライト型のバックライトにおいて、反光入射面側の輝度のみならず、光出射面全体の輝度を高めることにある。
【００１１】
【課題を解決するための手段】
上記課題を解決するため、本発明は、液晶表示素子の非観察面側に配置され、所定の側面が光入射面とされた導光板と、上記導光板の光入射面に向けて光を照射する光源とを備えている液晶表示素子のバックライトにおいて、上記光源の光軸が、上記導光板の反光入射面側の上端エッジに合わせられていることを特徴としている。
【００１２】
この構成によれば、例えば光源の傾きを調整するだけで、反光入射面側の輝度のみならず、光出射面全体の輝度を高めることができる。
【００１３】
【発明の実施の形態】
本発明において、導光板の構成は従来と同じであってよく、図１に示す例では、先に説明した図２の導光板１０をそのまま採用しているが、その底面１３については、光出射面１２と平行であってもよい。
【００１４】
また、光源２０にも汎用のＬＥＤ２１を用いることができる。サイドビュータイプ，トップビュータイプのいずれであってもよいが、この例ではサイドビュータイプのＬＥＤ２１を光入射面１１の真横に配置している。
【００１５】
その場合、本発明では、ＬＥＤ２１の光軸２１ｃが光入射面１１の対向面である反光入射面１４の上端（反光入射面１４と光出射面１２との交差端）１４ａに合わせている。この光軸合わせは、ＬＥＤ２１を傾けることにより行うことができるが、ＬＥＤ２１と光入射面１１との間に偏向レンズなどを配置して光軸合わせを行ってもよい。
【００１６】
なお、ＬＥＤ２１がトップビュータイプの場合には、図２に示すように、導光板１０の光入射面１１にプリズム状の光入射ガイド１１ａを設けて、光入射ガイド１１ａの下部位置にＬＥＤ２１を配置することになるが、この場合には、例えば光入射ガイド１１ａの光反射角を調整することにより、ＬＥＤ２１の光軸２１ｃを反光入射面１４の上端１４ａに合わせ込むことができる。
【００１７】
【実施例】
図１のように、ＬＥＤ２１の光軸２１ｃを反光入射面１４の上端１４ａに合わせた本発明によるバックライトを１０個用意して、導光板１０の光入射面１１側（図１において左端側），中央部分および反光入射面１４側（図１において右端側）の３箇所で輝度（ｃｄ／ｍ２）を測定した。その結果を表１に示す。
【００１８】
また、比較例として、図３のように、ＬＥＤ２１の光軸２１ｃを光入射面１１に対して直交させたバックライトを１０個用意して、上記と同じく３箇所の輝度を測定した。その結果を表２に示す。
【００１９】
【表１】
2004004285.tif 000003
【００２０】
【表２】
2004004285.tif 000004
【００２１】
まず、右端側の輝度について見ると、本実施例の平均輝度は１．９６，比較例の平均輝度は１．５５であり、輝度改善率は１．２６であった。次に、左端側の平均輝度は、本実施例の場合２．４３，比較例の場合１．８２で、左端側においても１．３４の輝度改善率が得られた。
【００２２】
また、中央部分の平均輝度は、本実施例の場合２．１８，比較例の場合１．５８で、輝度改善率は１．３１であった。光出射面１２全体の平均輝度は、本実施例の場合２．１９，比較例の場合１．６８であり、ＬＥＤ２１の光軸２１ｃを反光入射面１４の上端１４ａに合わせることにより、全体的にも１．３０の輝度改善率が得られた。
【００２３】
【発明の効果】
以上説明したように、本発明によれば、光源からの照射光を導光板の側面から入射するサイドライト型のバックライトにおいて、光源の光軸を導光板の反光入射面側の上端エッジに合わせることにより、反光入射面側の輝度のみならず、光出射面全体の輝度を高めることができる。
【図面の簡単な説明】
【図１】本発明によるバックライトの第１実施形態を示す模式的な断面図。
【図２】本発明によるバックライトの第２実施形態を示す模式的な断面図。
【図３】従来のバックライトを示す模式的な断面図。
【符号の説明】
１０　導光板
１１　光入射面
１２　光出射面
１３　底面
１４　反光入射面（対向面）
１４ａ　上端
２０　光源
２１　ＬＥＤ
２１ｃ　光軸
【図１】
2004004285.tif 000005
【図２】
2004004285.tif 000006
【図３】
2004004285.tif 000007